(57)【要約】【課題】カールを生じている用紙を積載している着脱自在な給紙トレイからを安定して用紙搬送の可能な画像形成装置を提供する。【解決手段】給紙トレイ４４が画像形成装置１本体に対して用紙搬送方向に着脱自在に装着され、給紙動作を行う給紙ローラ４２を画像形成装置本体に有する画像形成装置において、該給紙トレイ４４に画像形成装置１に対して相対移動するよう保持する保持部材４６を設け、給紙トレイ４４の挿入に伴って保持部材４６に当接されるガイド部材４１を設け、給紙トレイ４４の着脱操作中は、着脱方向に対して後傾斜する姿勢を保持し、終了に伴って、給紙トレイ４４が給紙動作を行うための所定位置に位置するよう、ガイド部材４４が当接した該給紙トレイ４４の保持部材４６を給紙トレイ４４に対する着脱操作に伴って誘導する。【選択図】      図２
2009091106.tif 000002
【特許請求の範囲】
【請求項１】
給紙トレイが画像形成装置本体に対して用紙搬送方向に着脱自在に装着され、給紙動作を行う給紙ローラを画像形成装置本体に有する画像形成装置において、
該給紙トレイに画像形成装置に対して相対移動するよう保持する保持部材を設け、
上記画像形成装置が、上記給紙トレイの挿入に伴って該給紙トレイにおける上記保持部材に当接されるガイド部材を設け、
該給紙トレイの着脱操作中は、該給紙トレイが着脱方向に対して後傾斜する姿勢を保持し、該給紙トレイの挿入の終了に伴って、
該給紙トレイが給紙動作を行うための所定位置に位置するよう、上記ガイド部材が該ガイド部材に当接した上記該給紙トレイの保持部材を該給紙トレイに対する着脱操作に伴って誘導する
ことを特徴とする画像形成装置。
【請求項２】
請求項１に記載の画像形成装置において、
給紙トレイに設けたガイド部材は、第一のガイド部と第二のガイド部を有し、
該第一のガイド部は上記給紙トレイの画像形成装置本体に対する挿入の終了時に上記給紙トレイの誘導を終了し、それ以上の挿入を阻止する係止部を有する
ことを特徴とする画像形成装置。
【請求項３】
請求項１又は２に記載の画像形成装置において、
該給紙トレイに設けた保持部材に回動自在な回転体を設けた
ことを特徴とする画像形成装置。
【請求項４】
請求項１から３いずれかに記載の画像形成装置において、
上記給紙トレイに用紙を分離する分離手段を設け、該分離手段は上記給紙トレイの壁の傾斜を利用した分離手段である
ことを特徴とする画像形成装置。
【請求項５】
請求項１から４いずれかに記載の画像形成装置において、
前記画像形成装置は、第一のガイド部の誘導を終了する位置に溝を有する
ことを特徴とする画像形成装置。
【発明の詳細な説明】
【技術分野】
【０００１】
本発明は、用紙搬送方向に着脱自在な給紙トレイを有する画像形成装置に関するものである。
【背景技術】
【０００２】
従来、複写機等における給紙トレイ（以下、給紙トレイと称す）においては、給紙動作を行う給紙ローラを装置本体に設け、給紙トレイを用紙搬送方向に着脱自在に設ける方式を多く採用している。
上記方式では給紙トレイに積載された用紙が湿度を有することで生じるカールなどで上側に跳ね上がっていた場合、給紙トレイ挿入途中に給紙ローラと用紙が接触してしまい、正確に給紙できない事態に陥ることがある。
そのため、特許文献１には、給紙トレイに用紙押さえ爪を設ける転写紙押え機構が開示されている。しかし、上記方式は給紙ローラ近傍の用紙中央部のカールを押さえることができなかった。
また、給紙トレイに用紙先端を整列させることを要する分離方式（以下、土手分離と称す）においては、用紙を積載する際に用紙を楔上に積載する必要がある。そのため、特許文献２には、用紙後端を加圧する転写材積載装置が開示されている。しかし、上記方式は用紙の積載量に応じて加圧力が変わるため、安定して用紙を整列させることができなかった。
一方、所定の位置に装着するまで、対象物以外に接触させない方式として、特許文献３、特許文献４には、プロセスカートリッジの装着方式が開示されている。しかし、上記方式は所定の位置近傍にて、当接する目的とする部品（例として転写部材）に当接しても、特に問題を生じないため回転中心が、対象物以外に接触を回避する部品（感光体）に設定されているが、対象物以外に接触を回避するものが用紙の場合、回転中心を設定できなかった。
【０００３】
【特許文献１】特許第３７１６２５６号公報
【特許文献２】特許第３２７６７５８号公報
【特許文献３】特許第３８６８３６９号公報
【特許文献４】特開２００３−８４６４８公報
【発明の開示】
【発明が解決しようとする課題】
【０００４】
そこで、本発明は上記問題点に鑑みてなされたものであり、その課題は、カールを生じている用紙を積載している着脱自在な給紙トレイからを安定して用紙搬送の可能な画像形成装置を提供することである。
【課題を解決するための手段】
【０００５】
上記課題を解決する手段である本発明の特徴を以下に挙げる。
本発明の画像形成装置は、給紙トレイが画像形成装置本体に対して用紙搬送方向に着脱自在に装着され、給紙動作を行う給紙ローラを画像形成装置本体に有する画像形成装置において、該給紙トレイに画像形成装置に対して相対移動するよう保持する保持部材を設け、上記画像形成装置が、上記給紙トレイの挿入に伴って該給紙トレイにおける上記保持部材に当接されるガイド部材を設け、該給紙トレイの着脱操作中は、該給紙トレイが着脱方向に対して後傾斜する姿勢を保持し、該給紙トレイの挿入の終了に伴って、該給紙トレイが給紙動作を行うための所定位置に位置するよう、上記ガイド部材が該ガイド部材に当接した上記該給紙トレイの保持部材を該給紙トレイに対する着脱操作に伴って誘導することを特徴としている。
また、本発明の画像形成装置は、給紙トレイに設けたガイド部材は、第一のガイド部と第二のガイド部を有し、該第一のガイド部は上記給紙トレイの画像形成装置本体に対する挿入の終了時に上記給紙トレイの誘導を終了し、それ以上の挿入を阻止する係止部を有することを特徴とする。
また、本発明の画像形成装置は、給紙トレイに設けた保持部材に回動自在な回転体を設けたことを特徴とする。
また、本発明の画像形成装置は、給紙トレイに分離手段を設け、その分離手段は給紙トレイの壁の傾斜を利用した分離手段であることを特徴とする。
また、本発明の画像形成装置は、上記給紙トレイに用紙分離手段を設け、該用紙分離手段は上記給紙トレイの壁の傾斜を利用した分離手段であることを特徴とする。
そして、本発明の画像形成装置は、第一のガイド部の誘導を終了する位置に溝を有することを特徴とする。
【発明の効果】
【０００６】
上記解決する手段によって、本発明の画像形成装置では、給紙トレイ積載の用紙にカールがあっても、カール押さえ部材を設けなくとも、用紙が給紙ローラに接触することがなく、安定して着脱できる。また、給紙トレイ積載の用紙中央部にカールがあっても抑える必要が無い、他の部材に接触することなく安定した用紙搬送をすることができる。
【発明を実施するための最良の形態】
【０００７】
以下に、本発明を実施するための最良の形態を図面に基づいて説明する。なお、いわゆる当業者は特許請求の範囲内における本発明を変更・修正をして他の実施形態をなすことは容易であり、これらの変更・修正はこの特許請求の範囲に含まれるものであり、以下の説明はこの発明における最良の形態の例であって、この特許請求の範囲を限定するものではない。
【０００８】
以下、この発明の実施形態を図面に基づいて具体的に説明する。
図１は、この発明を実施する画像形成装置を示す全体構成図であり、ここではその一例としてカラー複写機を示している。このカラー複写機は中間転写ベルト１１を用いたタンデム型の電子写真装置であり、最下部に給紙テーブル２を、その上方に複写装置本体１を、さらにその上部にスキャナ３及び原稿自動給送装置（ＡＤＦ）４をそれぞれ設けてある。
【０００９】
複写装置本体１には、ほぼ中央に無端状の中間転写ベルト１１を備えた転写装置９が設けてあり、中間転写ベルト１１は駆動ローラ１４と従動ローラ１５、１６とテンションローラ７０により張架され、図１で時計回り方向に回転駆動し、上記従動ローラ１５の左方に設けられているクリーニング装置８により、画像転写後その表面に残留する残留トナーが除去されて転写装置９による次の画像形成に備えられる。
駆動ローラ１４と従動ローラ１５との間に架け渡された直線状の中間転写ベルト１１の上方には、その移動方向に沿って、感光体５Y、５M、５C、５K（以下、色を特定する必要がない場合には単に感光体５という）を、それぞれ図１で反時計方向に回転可能に設けてあり、その回りには公知の露光装置２１、現像装置７、帯電装置６、感光体クリーニング装置8を設けてある。一次転写手段を構成する一次転写ローラ９Y、９C、９M、９B（以下、色を特定する必要がない場合には単に一次転写ローラ９という）が設けてある。感光体５の回りには、そのほかに図示しない除電装置、潤滑剤塗布装置をそれぞれ設けてあり、これらは１つの画像形成部を構成している特に、感光体5と帯電装置6とを含むことが多いが、その他の装置を適宜選択して組み合わせることができる。
一方、中間転写ベルト１１の下側には二次転写手段を構成する二次転写装置２２を設けてある。この二次転写装置２２が中間転写ベルト１１を解して従動ローラ１６に圧接するようになっている。そして、この二次転写装置２２が中間転写ベルト１１との間に送り込まれる記録媒体として用紙Pに、中間転写ベルト１１上のトナー画像を一括転写する。
二次転写装置２２の用紙搬送方向下流側には、用紙P上に形成されたトナー画像を定着する定着装置２５を設けてあり、無端状の定着ベルト２６に加圧ローラ２７が圧接されており、画像転写後の用紙Pは、一対のローラ２３，２３間に架け渡された無端状の搬送ベルト２４によって定着装置２５へ搬送される。なお、この二次転写装置２２は転写ローラや非接触のチャージャを用いた転写方式であっても差し支えない。そして、この二次転写装置２２の下側には、用紙表裏両面に画像を形成する際に用紙Pを反転させる用紙反転装置２８を設けてある。
【００１０】
上記のような構成からなるカラー複写機でカラーのコピーをとるときは、通常、原稿自動給送装置４の原稿台３０上に原稿をセットするが、手動で原稿をセットする場合には、原稿自動給送装置４を開いてスキャナ３のコンタクトガラス３２上に原稿をセットし、この原稿を原稿自動給送装置４を閉じることによりコンタクトガラス３２へ押圧する。
次に、図示しないスタートスイッチを押すと、原稿自動給送装置４に原稿をセットしたときは原稿が自動でコンタクトガラス３２上に給送され、手動でコンタクトガラス３２上にセットしたときは直ちにスキャナ３が作動し、第一走行体３３及び第二走行体３４が走行を開始する。これにより、第一走行体３３の光源からの光が原稿に向けて照射され、さらに第二走行体３４の一対のミラーにより１８０度方向を変えて結象レンズ３５を通り読取りセンサ３６に入射して原稿の内容が読取られる。
また、上述したスタートスイッチの押下により、中間転写ベルト１１が回動を開始すると同時に各感光体５Y、５C、５M、５Kも回動を開始してそれぞれの感光体上にイエロー、マゼンタ、シアン、ブラックの各単色画像を形成する。このようにして各感光体上に形成された各単色画像は、図1で時計回り方向に回動する中間転写ベルト１１上に重ね合わせて順次転写されてフルカラーの合成カラー画像が形成される。
【００１１】
一方、給紙テーブル２内の選択された給紙段の給紙ローラ４２が回転し、ペーパバンク４３内の選択された給紙トレイ４４から用紙Pが繰り出され、分離ローラ４５により一枚に分離されて搬送ガイド板４８に搬送される。繰り出された用紙Pは搬送ローラ４７により複写機本体１に搬送され、レジストローラ４９に当接して一旦停止状態になる。なお、手差し給紙の場合には、手差しトレイ５１上にセットされた用紙Pが給紙ローラ５０の回転により繰り出され、分離ローラ５２により一枚に分離されて手差し給紙路５３に搬送され、レジストローラ４９に当接して一旦停止状態となる。いずれの場合でも、レジストローラ４９は中間転写ベルト１１上のカラー画像に合わせた正確なタイミングで回転を開始し、停止状態にあった嫉妬Pを中間転写ベルト１１と二次転写ローラ２２との間に送り込み、用紙P上に上記の二次転写装置２２によりカラー画像を転写する。カラー画像が転写された用紙Pは、搬送機能も有する二次転写装置２２により、定着装置２５へ搬送され、過熱・加圧されて転写画像が定着した後、切換爪５５により排出側に案内され、排出ローラ５６により排紙トレイ５７上に排出されてスタックされる。
【００１２】
なお、両面コピーモードが選択されている場合には、表面に画像を形成した用紙Pは切換爪５５により用紙反転装置２８側に搬送され、反転して再び２次転写位置２２へ導かれ、裏面に画像が形成された後、排出ローラ５６により排紙トレイ上に排出されてスタックされる。また、ブラック単色画像を中間転写ベルト１１上に形成する場合には、駆動ローラ１４以外の従動ローラ１５、１６を移動させてイエロー、マゼンタ、シアンの感光体５Y、５M、５Cを中間転写ベルト１１から離間させるようにしている。なお、図１に示したタンデム型でなく、感光体が一つしかない所謂１ドラム型の画像形成装置１にあっては、ファーストコピー速度を早くするために、最初にブラックを作像するのが一般的であり、その後原稿がカラーの場合のみ残りの色の作像を行うようにしている。
【００１３】
このような構成において、レジストローラ４９は通常接地されて用いられることが多いが、用紙Pの紙粉除去のためにバイアスを印加することもできる。例えば計１８ｍｍで表面を厚さ１ｍｍの導電性ＮＢＲゴムで被覆した導電性のゴムローラを用いてバイアスを印加する場合、ゴム材の体積抵抗は１０９Ωｃｍ程度であり、トナーを転写する側（表面側）にー８００V程度の電圧を印加し、用紙裏面側には＋２００V程度の電圧を印加する。一般的に中間転写方式では紙粉が感光体まで移動しにくいため、紙粉転写を考慮する必要が少なく、アースになっていても差し支えない。また、印加電圧として一般にＤＣバイアスが印加されているが、用紙をより均一に帯電させるため、ＤＣオフセット成分を持ったＡＣ電圧を印加することも可能である。
このようにバイアスを印加したレジストローラ４９を通過した後の用紙表面は、若干マイナス側に帯電しているため、中間転写ベルト１１から用紙Ｐへの転写では、レジストローラ４９に電圧を印加しなかった場合に比べて転写条件が変わり、転写条件を変更する場合もある。
【００１４】
図２は、給紙トレイが、画像形成装置本体に装着された状態を示す概略図である。
図２に示すように、給紙トレイ４４は、図示しない画像形成装置本体に装着された状態において、給紙ローラ４２と対向する分離部４５、給紙トレイ４４に設けられた底板４４ａ上に積載された用紙Ｐが当接している。図示しない駆動装置により給紙ローラ４２が駆動されると、給紙ローラ４２によりピックアップされた用紙Ｐが分離部４５により１枚ずつ分離され、搬送ガイド板対４８ａ、４８ｂ間を通り、搬送ローラ対４７ａ、４７ｂに搬送され、搬送ローラ対４７ａ、４７ｂにより、画像形成部１０へと搬送される。
【００１５】
次に、例えば、給紙トレイに、画像形成装置１に対して相対移動するよう保持する保持部材を設け、画像形成装置本体への挿入に伴って給紙トレイ４４における保持部材４６に当接されるガイド部材４１を設け、給紙トレイ４４の装置１本体に対する着脱操作中は、給紙トレイ４４が着脱方向に対して前側に傾斜する姿勢を保持し、給紙トレイ４４の装置本体に対する挿入の終了に伴って、給紙トレイが給紙動作を行うための所定位置に位置するよう、ガイド部材４１がガイド部材４１に当接した給紙トレイ４４の保持部材４６を給紙トレイ４４の装置本体に対する着脱操作に伴って誘導することも考えられる。
図３は、給紙トレイの構成を示す斜視図である。図４は、装着した給紙トレイのガイド部の傾斜を示す概略図である。図５は、装着した給紙トレイの前傾斜した状態を示す概略図である。図３に示すように、給紙トレイ４４の側面には第一の保持部材４６ａと第二の保持部材４６ｂが設けられている。この２つの保持部材４６ａ、４６ｂは、給紙トレイ４４に設けられたガイド部８に沿って移動する給紙トレイ４４の着脱方向に対して、角度θをなすように設定されている。給紙トレイ４４が、画像形成装置１に挿入されると、ガイド部４１上を当接しながら保持部材４６ａ、４６ｂが移動する。この時に給紙トレイ４４は、着脱方向に対して前傾斜した状態で保持される。給紙動作可能な所定の位置近傍に達すると、ガイド部４１に誘導された第一の保持部材４６ａが上方に移動し、給紙トレイ４４の挿入動作が終了する。
このように構成された画像形成装置１は、給紙ローラ４２と給紙トレイ４４が離れた状態を保持されるので、用紙先端にカールがある場合でも、給紙ローラ４２と用紙Ｐが接触することなく、給紙することができる。
【００１６】
しかし、本発明の画像形成装置１では、給紙トレイ４４の前傾斜ではなく、後傾斜させることとした。本発明の画像形成装置１では、給紙トレイ４４が用紙搬送方向に着脱自在に装着され、給紙動作を行う給紙ローラ４２を、画像形成装置１の給紙トレイ４４本体手前側に有し、給紙トレイ４４に対して相対移動するよう保持する保持部材４６を設け、給紙トレイ４４の画像形成装置本体への挿入に伴って給紙トレイ４４における保持部材４６に当接されるガイド部材４１を設け、給紙トレイ４４の着脱操作中は、給紙トレイ４４が着脱方向に対して後傾斜する姿勢を保持し、給紙トレイ４４の画像形成装置１本体に対する挿入の終了に伴って、給紙トレイ４４が給紙動作を行うための所定位置に位置するよう、ガイド部材４１が当接した給紙トレイ４４の保持部材４６を給紙トレイ４４の画像形成装置１に対する着脱操作に伴って誘導する。
図６は、給紙トレイが、画像形成装置本体に装着された状態を示す概略図である。図７は、給紙トレイを挿入した構成を示す概略図である。図８は、装着した給紙トレイのガイド部の後傾斜の経過を示す概略図である。図９は、装着した給紙トレイの後傾斜の経過を示す概略図である。
給紙トレイ４４の側面には第一の保持部材４６ａと第二の保持部材４６ｂ、第三の保持部材４６cが設けられている。この内２つの保持部材４６ａ、４６ｂは、給紙トレイ４４本体に設けられた第一のガイド部４１aに沿って移動し、もう一つの保持部材４６cが図示しない搬送装置本体に設けられた第二のガイド部４１ｂに沿って移動する。給紙トレイ４４が挿入されると、第一のガイド部４１a上を当接しながら保持部材４６ａが移動する。
続いて、保持部材４６ｂが第一のガイド部４１a上に当接される。この時に給紙トレイ４４は、着脱方向に対して後傾斜した状態で保持される。その後、保持部材４６cが第二のガイド部４１ｂ上に当接され、給紙動作可能な所定の位置近傍に達すると、第二のガイド部４１ｂに誘導された第三の保持部材４６cが上方に移動し、給紙トレイ４４の挿入動作が終了する。
このように、給紙ローラ４２と給紙トレイ４４が離れた状態を保持されるので、用紙先端にカールがある場合でも、給紙ローラ４２と用紙が接触することが無い。
【００１７】
次に、本発明の画像形成装置は、ガイド部材４１は、第一のガイド部４１ａと第二のガイド部４１ｂを有し、第一のガイド部４１ａは給紙トレイ４４の挿入の終了時に給紙トレイ４４の誘導を終了し、それ以上の挿入を阻止する係止部４１ｃを有する。
図１０は、給紙トレイが画像形成装置本体に装着された状態を示す概略図である。図１１は、装着した給紙トレイのガイド部の経過を示す概略図である。
給紙トレイ４４の側面には第一の保持部材４６ａと第二の保持部材４６ｂが設けられている。給紙トレイ４４が挿入されると、第二のガイド部４１ｂ上を当接しながら第一の保持部材４６ａが、第一のガイド部４１a上を当接しながら第二の保持部材４６ｂが移動する。この時に給紙トレイ４４は、着脱方向に対して前傾斜した状態で保持される。給紙動作可能な所定の位置近傍に達すると、第二のガイド部４１ｂに誘導された第一の保持部材４６ａが上方に移動し、給紙トレイ４４の挿入動作が終了する。第一のガイド部４１aには、その給紙トレイ４４の前側に当たる部分に、画像形成装置１側に係止部４１cが設けられており、給紙トレイ４４は、それ以上奥側への挿入を阻止される。
このように、給紙ローラ４２と給紙トレイ４４が離れた状態を保持されるので、用紙Ｐ先端にカールがある場合でも、給紙ローラ４２と用紙Ｐが接触することが無い。また、奥側への挿入が阻止されることにより、不意の衝撃による給紙トレイ４４の過挿入を防止することができる。
図１２は、給紙トレイが画像形成装置本体に装着された状態を示す概略図である。第一のガイド部４１ａと第二のガイド部４１ｂを有し、第一のガイド部４１ａは給紙トレイ４４の画像形成装置１本体に対する挿入の終了時に誘導を終了し、それ以上の挿入を阻止する係止部４１ｃを、その給紙トレイ４４の後ろ側に当たる部分で画像形成装置１側に設けられており有しているので、所定の位置以上の奥側への挿入を防止できる。
【００１８】
次に、本発明の画像形成装置は、給紙トレイ４４に設けた保持部材４６に回動自在な回転体５０を設けている。
図１３は、保持部が有する回転体の構成を示す概略図である。第一の保持部材４６ａには、回動自在に設けられた回転体５０が設けられている回転体５０が設けられたガイド部４１と当接すると、回転体５０が第一の保持部材４６ａ上を回転し、ガイド部４１との摩擦を低減する。給紙トレイ４４に設けた保持部材４６に回動自在な回転体を設けているので、給紙トレイ４４の保持部材４６と、ガイド部材４１の摩擦抵抗が少なくなり、着脱がスムーズに行うことができる。
【００１９】
次に、本発明の画像形成装置は、給紙トレイに用紙分離手段を設け、用紙分離手段は給紙トレイの壁の傾斜を利用した分離手段である。
図１４は、本発明の画像形成装置における給紙トレイの構成を示す概略図である。給紙トレイ４４には、用紙Pの先端側の壁に分離部４５１が設けられている。給紙トレイ４４の挿入動作により給紙トレイ４４は傾斜して保持されるため、用紙Pの先端は分離部４５１に安定して整列する。土手分離においては用紙Pの先端側が楔上に整列し、分離手段均等に当接することが最も安定した分離性能を得ることができる。よってこのように構成された画像形成装置は、同様な効果が得られるだけでなく、安定した分離性能も得ることができる。給紙トレイに分離手段を設け、その分離手段は給紙トレイ４４の壁の傾斜を利用した分離手段であるので、用紙後端を加圧する方式に関わらず、給紙トレイ４４に用紙先端を安定して整列させることができる。
【００２０】
本発明の画像形成装置は、第一のガイド部４１ａの誘導を終了する位置に溝４１ｄを有する。
図１５は、本発明の画像形成装置における給紙トレイの構成を示す概略図である。給紙トレイ４４の側面には第一の保持部材４６ａと第二の保持部材４６ｂが設けられている。給紙トレイ４４が挿入されると、第二のガイド部４１ｂ上を当接しながら第一の保持部材４６ａが、第一のガイド部４１a上を当接しながら第二の保持部材４６ｂが移動する。この時に給紙トレイ４４は、着脱方向に対して前傾斜した状態で保持される。給紙動作可能な所定の位置近傍に達すると、第二のガイド部４１ｂに誘導された第一の保持部材４６ａが上方に移動し、給紙トレイ４４の挿入動作が終了する。この時、第一のガイド部４１aには溝４１ｄが設けられており、第二の保持部材４６ｂが溝４１ｄに嵌まり込み、給紙トレイ４４は、着脱方向に固定される。
このように構成された画像形成装置１は、給紙ローラ４２と給紙トレイ４４が離れた状態を保持されるので、用紙先端にカールがある場合でも、給紙ローラ４２と用紙が接触することが無い。また、定位置に固定されるため、画像形成装置の振動等により給紙トレイ４４が移動することが無い。第一のガイド部４１ａの誘導を終了する位置に溝４１ｄを有しているので、給紙トレイ４４の着脱方向への位置決めをすることができる。
【図面の簡単な説明】
【００２１】
【図１】この発明を実施する画像形成装置を示す全体構成図であり、ここではその一例としてカラー複写機を示している。
【図２】給紙トレイが、画像形成装置本体に装着された状態を示す概略図である。
【図３】給紙トレイの構成を示す斜視図である。
【図４】装着した給紙トレイのガイド部の傾斜を示す概略図である。
【図５】装着した給紙トレイの前傾斜した状態を示す概略図である。
【図６】給紙トレイが、画像形成装置本体に装着された状態を示す概略図である。
【図７】給紙トレイを挿入した構成を示す概略図である。
【図８】装着した給紙トレイのガイド部の後傾斜の経過を示す概略図である。
【図９】装着した給紙トレイの後傾斜の経過を示す概略図である。
【図１０】給紙トレイが画像形成装置本体に装着された状態を示す概略図である。
【図１１】装着した給紙トレイのガイド部の経過を示す概略図である。
【図１２】給紙トレイが画像形成装置本体に装着された状態を示す概略図である。
【図１３】保持部が有する回転体の構成を示す概略図である。
【図１４】本発明の画像形成装置における給紙トレイの構成を示す概略図である。
【図１５】本発明の画像形成装置における給紙トレイの構成を示す概略図である
【符号の説明】
【００２２】
１  画像形成装置本体
２  給紙テーブル
３  スキャナ
４  原稿自動搬送装置（ＡＤＦ）
５  感光体
６  帯電装置
７  現像装置
８  クリーニング装置
９  １次転写装置
１０  画像形成部
１１  中間転写体
２１  露光装置
２２  ２次転写装置
２４  ２次転写ベルト
２５  定着装置
４１  ガイド部
４１ａ、４１ｂ  ガイド部
４１ｃ  係止部
４１ｄ  溝
４２  給紙ローラ
４３  側板
４４  給紙トレイ
４４ａ  底板
４５  分離部
４６  保持部材
４７  搬送ローラ
４８  搬送ガイド板  
４９  レジストローラ
５０  回転体部材
５６  排出ローラ
５７  排紙トレイ
Ｐ  用紙
【図１】
2009091106.tif 000003
【図２】
2009091106.tif 000004
【図３】
2009091106.tif 000005
【図４】
2009091106.tif 000006
【図５】
2009091106.tif 000007
【図６】
2009091106.tif 000008
【図７】
2009091106.tif 000009
【図８】
2009091106.tif 000010
【図９】
2009091106.tif 000011
【図１０】
2009091106.tif 000012
【図１１】
2009091106.tif 000013
【図１２】
2009091106.tif 000014
【図１３】
2009091106.tif 000015
【図１４】
2009091106.tif 000016
【図１５】
2009091106.tif 000017